【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
少なくとも200℃の使用温度に好適な、熱可塑性樹脂に基づく金属性被覆光反射部材を製造するための熱可塑性ポリマー成形コンパウンドの使用であって、該成形コンパウンドがホモポリアミド、コポリアミド、およびホモポリアミドとコポリアミドから作られる混合物（ブレンド）およびホモポリアミドまたはコポリアミドから作られる混合物を包含する群から選択されるコポリアミドを含有し、前記ポリアミドが無定形の透明ポリアミドを包含する群から選択され、かつ前記ポリアミドが少なくとも205℃のガラス転移温度(Tg)を有することを特徴とする使用。
【請求項２】
使用されるポリアミドが少なくとも210℃のガラス転移温度(Tg)を有する請求項１記載の使用。
【請求項３】
使用されるポリアミドが少なくとも215℃または少なくとも220℃のガラス転移温度(Tg)を有する請求項２記載の使用。
【請求項４】
使用されるポリアミド成形コンパウンドが、平均粒度が100 nm以下の超微粒ナノスケール鉱物充填材を含有する請求項１記載の使用。
【請求項５】
使用されるポリアミド成形コンパウンドが、平均粒度が80 nm以下または70 nm以下の超微粒ナノスケール鉱物充填材を含有する請求項４記載の使用。
【請求項６】
超微粒ナノスケール鉱物充填材が超微粒チョーク(CaCO3)であり、使用されるポリアミド成形コンパウンドが該超微粒チョークを40重量パーセント以下有する請求項４記載の使用。
【請求項７】
使用されるポリアミド成形コンパウンドが20〜35重量パーセントの超微粒チョークを有する請求項６記載の使用。
【請求項８】
使用されるポリアミド成形コンパウンドが、平均粒度100 nm以下の有機変性フィロシリケートの形態である鉱物充填材を含有する請求項１記載の使用。
【請求項９】
使用されるポリアミド成形コンパウンドが変性フィロシリケート15重量パーセント以下を有する請求項８記載の使用。
【請求項１０】
使用されるポリアミド成形コンパウンドが2.5〜10重量パーセントの変性フィロシリケートを有する請求項９記載の使用。
【請求項１１】
射出成形技術または射出成形技術の特別な方法が少なくとも200℃の使用温度に好適で金属性被覆される光反射部材の製造に適用される、請求項１〜１０の一つに記載の使用。
【請求項１２】
少なくとも200℃の使用温度に好適であり、金属性被覆される光反射部材を製造するために、無色透明のコポリアミドまたはそのブレンドまたは少なくとも一つのホモポリアミドをもつアロイが使用され、該コポリアミドが
(a)  (b)とほぼ等モル比の6〜24のC原子を有する少なくとも一つの脂環式ジアミン
(b)   0〜50モルパーセントのテレフタル酸および／またはナフタレンジカルボン酸および／または0〜20モルパーセントの脂肪族ジカルボン酸によって置き換えられるイソフタル酸および
(c)  20モルパーセントまでの更なるポリアミド形成モノマー
から合成され、該コポリアミドまたはそのブレンドまたはアロイが要すれば製造または使用に関する添加剤を含有する請求項１〜１０の一つに記載の使用。
【請求項１３】
ジメチル-p-ジアミノシクロヘキシルメタン(MACM)、イソフタル酸(I)、およびラウリンラクタムを含有するPA MACMI/12組成物がポリアミドとして使用される請求項１〜１０の一つに記載の使用。
【請求項１４】
PA MACMI/12組成物が5〜8モルパーセントの範囲でラウリンラクタムおよびほぼ等モル量で他の二つの成分を含有する請求項１３記載の使用。
【請求項１５】
PA MACMI/12組成物がラウリンラクタムを9〜18モルパーセントの範囲で含有する請求項１４記載の使用。
【請求項１６】
PA MACMI/12組成物が15重量パーセント（14.1モルパーセントに相当）ラウリンラクタムおよびほぼ等モル量で他の二つの成分を含む請求項１５記載の使用。
【請求項１７】
PA MACMI/MACM12/PACMI/PMCM12組成物がポリアミドとして使用される請求項１２記載の使用。
【請求項１８】
金属性被覆され、少なくとも200℃の使用温度に好適な、熱可塑性樹脂に基づくポリマー成形コンパウンドから製造される光反射部材であって、該光反射部材を製造するための成形コンパウンドがホモポリアミド、コポリアミド、およびホモポリアミドとコポリアミドから作られる混合物（ブレンド）およびホモポリアミドまたはコポリアミドから作られる混合物を包含する群から選択されるポリアミドを含有し、該ポリアミドが無定形透明ポリアミドを包含する群から選択され、かつ該ポリアミドは少なくとも205℃のガラス転移温度(Tg)を有することを特徴とする光反射部材。
【請求項１９】
ポリアミド部材が直接金属被覆される請求項１８記載の光反射部材。
【請求項２０】
プライマー層がポリアミド部材と金属被膜との間に設けられる請求項１８記載の光反射部材。
【請求項２１】
金属被膜が蒸着法によって適用される請求項１８記載の光反射部材。
【請求項２２】
製造に使用されるポリアミドが少なくとも210℃のガラス転移温度(Tg)を有する請求項１８記載の光反射部材。
【請求項２３】
製造に使用されるポリアミドが少なくとも215℃または少なくとも220℃のガラス転移温度(Tg)を有する請求項１９記載の光反射部材。
【請求項２４】
使用されるポリアミド成形コンパウンドが100 nm以下の平均粒度を有する超微粒ナノスケール鉱物充填材を含有する請求項１８記載の光反射部材。
【請求項２５】
使用されるポリアミド成形コンパウンドが80 nm以下または70 nm以下の平均粒度を有する超微粒ナノスケール鉱物充填材を含有する請求項２４記載の光反射部材。
【請求項２６】
超微粒ナノスケール鉱物充填材が超微粒チョーク(CaCO3)であり、使用されるポリアミド成形コンパウンドが40重量パーセント以下の該超微粒チョークを有する請求項２４記載の光反射部材。
【請求項２７】
使用されるポリアミド成形コンパウンドが20〜35重量パーセントの超微粒チョークを有する請求項２６記載の光反射部材。
【請求項２８】
使用されるポリアミド成形コンパウンドが100 nm以下の平均粒度を有する有機変性フィロシリケートの形態の鉱物充填材を含有する請求項１８記載の光反射部材。
【請求項２９】
使用されるポリアミド成形コンパウンドが15重量パーセント以下の変性フィロシリケートを有する請求項２８記載の光反射部材。
【請求項３０】
使用されるポリアミド成形コンパウンドが2.5〜10重量パーセントの変性フィロシリケートを有する請求項２９記載の光反射部材。
【請求項３１】
射出成形技術または特別な射出成形技術の方法を用いて製造される請求項１８記載の光反射部材。
【請求項３２】
無色透明のコポリアミドまたはそのブレンドまたは少なくとも一つのホモポリアミドとのアロイから製造され、該コポリアミドが
(a)  (b)とほぼ等モル比の6〜24のC原子を有する少なくとも一つの脂環式ジアミン
(b)  0〜50モルパーセントのテレフタル酸および／またはナフタレンジカルボン酸および／または0〜20モルパーセントの脂肪族ジカルボン酸によって置き換えられるイソフタル酸および
(c)  別のポリアミド形成モノマー20モルパーセントまで
から合成され、かつ該コポリアミドまたはそれらのブレンドまたはアロイが要すれば製造または使用に関する添加剤を含む請求項１８記載の光反射部材。
【請求項３３】
ジメチル-p-ジアミノシクロヘキシルメタン(MACM)、イソフタル酸(I)、およびラウリンラクタムを含有するPA MACMI/12組成物から製造される請求項１８記載の光反射部材。
【請求項３４】
PA MACMI/12組成物が5〜18モルパーセントの範囲でラウリンラクタムおよびほぼ等モル量で他の二つの成分を含む請求項３３記載の光反射部材。
【請求項３５】
PA MACMI/12組成物が9〜18モルパーセントの範囲でラウリンラクタムを含む請求項３４記載の光反射部材。
【請求項３６】
PA MACMI/12組成物が15重量パーセント（14.1モルパーセントに相当）ラウリンラクタムおよびほぼ等モル量で他の二つの成分を含む請求項３５記載の光反射部材。
【請求項３７】
PA MACMI/MACM12/PACMI/PACM12組成物から製造される請求項３２記載の光反射部材。
【請求項３８】
自動車、船および航空機を包含する群から選択される乗り物の移動灯用リフレクターである請求項１８記載の光反射部材。
【請求項３９】
交通信号、位置表示灯、および道路および広告信号のライトを包含する群から選択される信号装置用リフレクターである請求項１８記載の光反射部材。
【請求項４０】
道路照明、投光設備、および医療手術灯を包含する群から選択される照明装置用リフレクターである請求項１８記載の光反射部材。
【請求項４１】
平面集光器、放物面鏡、トラフミラー、およびそれらの混合形態を包含する群から選択されるソーラーコレクター用リフレクターである請求項１８記載の光反射部材。